(57)【要約】検索装置が、近接内の利用可能な装置及びサービスを識別するよう位置付けられ、そこにおいて、発見さるべき装置は、アクセスポイントから周期的に離れ、サービスセット識別子（ＳＳＩＤ）を介して、検索装置によって識別され得る発見さるべき装置自身のアドホックネットワーク（ＡＨＮ）を確立する。
2006522531.tif 000002
【特許請求の範囲】
【請求項１】
少なくとも１つのアクセスポイントのある無線ネットワーク内の、近接した装置及びサービスを発見する方法であって、
発見さるべき装置は、アクセスポイントから周期的に離れ、サービスセット識別子を介して、検索装置によって識別され得る、発見さるべき装置自身のアドホックネットワークを確立すること、を特徴とする方法。
【請求項２】
前記アドホックネットワークは、それが生成した装置を除いては、他のいかなる追加のエレメントも有しないこと、を特徴とする請求項１記載の方法。
【請求項３】
前記アドホックネットワークの前記サービスセット識別子は、前記発見さるべき装置の明白な識別名を有すること、を特徴とする請求項１又は２記載の方法。
【請求項４】
前記検索装置は、ＷＬＡＮトランシーバーを介して、見出された装置の信号強度を問合わせること、を特徴とする請求項１乃至３のうちいずれか一項記載の方法。
【請求項５】
前記検索装置は、見出された装置のうち−６０ｄＢｍ以上の信号強度を有するものを、近接した装置として分類すること、を特徴とする請求項４記載の方法。
【請求項６】
前記検索装置は、ディスカバリー・フレームワーク、好ましくはユニバーサル・プラグアンドプレイを用いて、前記発見さるべき装置のサービスにアクセスできること、を特徴とする請求項１乃至５のうちいずれか一項記載の方法。
【請求項７】
前記検索装置は、前記ユニバーサル・プラグアンドプレイを用いて、近接した装置の中から、所望のサービスを提供する装置を見付けること、を特徴とする請求項６記載の方法。
【請求項８】
前記検索装置は、最初に、前記ユニバーサル・プラグアンドプレイを用いて、前記ネットワーク内のすべての利用可能な所望のサービスを発見し、続いて、どのサービスが近接内にあるかを決定すること、を特徴とする請求項６記載の方法。
【請求項９】
前記発見さるべき装置が、そのアクセスポイントから離れる時間間隔は、最大限で１ｓであり、好ましくは最大限で１００ｍｓであり、特に好ましくは最大限で５０ｍｓであり、特に最大限で１０ｍｓであること、を特徴とする請求項１乃至８のうちいずれか一項記載の方法。
【請求項１０】
前記発見さるべき装置が、前記アクセスポイントから離れる頻度周波数は、０．５乃至１００Ｈｚ、好ましくは２乃至８０Ｈｚ、特に好ましくは５乃至６０Ｈｚであり、特に１０乃至５０Ｈｚであること、を特徴とする請求項１乃至９のうちいずれか一項記載の方法。
【発明の詳細な説明】
【技術分野】
【０００１】
本発明は、無線ネットワーク（無線ＬＡＮ、ＷＬＡＮ）内の装置が、他の近接する装置及びサービスを発見できるようにする方法に関する。
【背景技術】
【０００２】
空間的に有界なエリア（ローカル・エリア・ネットワーク、ＬＡＮと称せられる）において、無線ネットワークは、極めて広い領域で利用されている。その用途は例えば、複数のコンピュータと、プリンター、スキャナー、プロジェクターなど複数の周辺機器とを、組み合わせたコンピュータＬＡＮなどである。これらのＬＡＮは、例えば企業などで広く使用されている。これらのＬＡＮは、複数のアクセスポイント（ＡＰ）を有し、ユーザはそれを介して、ネットワーク内のポータブルＷＬＡＮ対応の装置へ接続でき、例えばその企業のメインフレーム・コンピュータを使用することができる。さらに、プリンター、スキャナー、ＵＨＰプロジェクターなどの一般的に利用可能な周辺機器の使用は、これらの装置もまたネットワークに接続され、複数のユーザにアクセスされ得ることによって、可能になる。これは、例えば、会議室内への周辺機器の固定取付けを可能にし、講師又は演説者が、周辺機器と通信するために、自身のラップトップ・コンピュータをネットワークに接続するだけでよい。
【発明の開示】
【発明が解決しようとする課題】
【０００３】
これは、複数の同等な装置の中から、最も近接した装置を、その都度選択しなければならないという問題をもたらす。例えば、ラップトップ・コンピュータを持つユーザが、未知の建物内でプリンターを検索するとき、そのユーザは、別の建物や階にあるプリンターよりはむしろ、自身のいる現在位置から最も近接する場所にあるプリンターを探すことに関心がある。
【０００４】
例えば、ユニバーサル・プラグアンドプレイ（ＵＰｎＰ）などの、現在の発見フレームワークは、ネットワークを介して達し得る装置及びサービス又はネットワーク内で利用可能な装置及びサービスを発見する可能性を提供する。しかし、公知の技術において、装置及びサービスの発見を、局所的に近接する装置及びサービスに制限することは可能ではない。
【０００５】
ユニバーサル・プラグアンドプレイ（ＵＰｎＰ）を用いる検索は、従って、同じネットワーク内に存在するすべての適切な装置及びサービスを見出す。結果として、発見された装置の数は、ＷＬＡＮ規模に依存し、比較的大きいことがある。ユニバーサル・プラグアンドプレイ（ＵＰｎＰ）を用いて発見された装置間の距離についての追加の情報が無ければ、ユーザは、どの装置が空間的に最も近接なのか知ることができない。
【０００６】
ＷＬＡＮ対応の装置が接続されているネットワークは、通常、ディストリビューション・システム（ＤＳ）によって相互接続された、複数のベーシックサービスセット（ＢＳＳｓ）で構成されている。各アクセスポイント（ＡＰ）及びそれに接続されている装置は、１つのベーシックサービスセット（ＢＳＳ）を構成する。アクセスポイント（ＡＰ）に接続された装置は、そのＷＬＡＮトランシーバーの範囲（約１００メートル）内の異なる利用可能なサービスセット（ＳＳｓ）のリストを、ＡＰから離れることなく問い合わせることができる。そのリストは、一連のアクセスポイント（ＢＳＳｓとしての）及び可能であればアドホックネットワーク（独立ＢＳＳｓ）を提示する。装置は、どのネットワークが利用可能かを見出せるが、どの個々の装置が、ネットワークに属しているかは見出せない。従って、アクセスポイント（ＡＰ）に接続されている他の装置の存在を発見することが出来ない。たとえある装置の存在が既知であっても、ユーザのローカル装置は、その装置とユーザのローカル装置との間の距離を予測することは出来ない。装置は、その装置自体及びＷＬＡＮのインフラ基盤との間の距離を、受信した信号強度によって測定することによって、予測することは出来るが、他の装置への距離を予測することは出来ない。
【０００７】
本発明の目的は、装置が、その近接内において利用可能な装置及びサービスを識別する状況に置く方法を提供することである。
【０００８】
ＷＬＡＮ対応のポータブル装置と、他の装置及びサービスとの間の距離、すなわちそれらの相対的位置は、ローカル無線ネットワーク内の発見さるべき装置が、周期的に発見さるべき装置自身のアドホックネットワークを確立するときに、決定され、使用できる。
【０００９】
本発明の目的は、少なくとも１つのアクセスポイント（ＡＰ）を備えた無線ネットワークにおいて、近接した装置及びサービスを発見する方法を提供することであって、そこにおいて、無線ネットワーク内の発見さるべき装置は、アクセスポイントから周期的に離れ、サービスセット識別子（ＳＳＩＤ）を介して、検索装置によって識別され得る、発見さるべき装置自身のアドホックネットワーク（ＡＨＮ）を確立する。
【課題を解決するための手段】
【００１０】
本発明に係る方法は、アクセスポイントに接続されたＷＬＡＮ対応の装置が、他の近接した装置及びそれらのサービスを発見し、識別できるようにする。このような方法で、新しい近接に基づく適用が可能になる。さらに、本発明に係る方法は、ＷＬＡＮのインフラを変更する必要がないという利点がある。本発明に係る方法は、ＷＬＡＮ技術が既に広く用いられているため、利用可能な装置との利用に、直接的に適用可能である。
【００１１】
本発明に係る方法は、ユーザが、無線移動性装置を有し、近接したサービスを発見し、利用したいとき、特に適している。そのようなサービスの例は、プリンター、プロジェクター、音楽プレーヤー及び画像サービスである。
【００１２】
ユーザの移動性装置（以下、「検索装置」とも称す）及びサービスを提供する装置（以下、「発見さるべき装置」とも称す）の両方は、互いに通信できるように、少なくとも１つのＷＬＡＮアクセスポイントに接続されている。
【００１３】
出力によっては、アクセスポイントが対象とする範囲は変化する。従来式の全出力を用いるとき、約１００メートルの範囲が建物内で達成される。複数個のアクセスポイントが、例えば、建物を完全に網羅できるよう、分配システムを介して、１つの大きな無線ネットワークに相互接続されてもよい。
【００１４】
本発明に係る方法において、検索装置は最初に、その近接内にあるすべての発見さるべき装置を発見する。検索装置の近接内で、少なくとも１つの他の装置が発見されるとき、見つかった装置が有するサービスの検索は、以下の説明の如く、本発明に係る方法の第二のステップにおいて実行することができる。
【００１５】
本発明によると、検索装置に発見され得るために、発見さるべき装置は、アクセスポイントから、短い時間間隔で、周期的に離れ、発見さるべき装置自身のアドホックネットワークを確立する。このアドホックネットワークはそこで、検索装置以外の装置によって見出される。ＷＬＡＮカードの出力によって、そのようなアドホックネットワークの対象とする範囲は変化する。現在のところ、従来式の全出力で、約１００メートルの範囲が建物内で達成される。本発明に係る方法の好適別形として、アドホックネットワーク（ＡＨＮ）は、それが生成した装置を除いては、他のいかなるエレメントも有しない。
【００１６】
このような方法で、複数個の相互に独立したアドホックネットワークが、ＷＬＡＮ内で周期的に確立され、その個数は、発見さるべき装置の数によるのであって、アドホックネットワークは、１つのエレメント、すなわち発見さるべき装置のみを有する。発見さるべき装置自身のアドホックネットワークを生成するとき、その装置は、明白に特定可能な識別名を与えられる。この目的を達成するために、本発明に係る好適方法において、アドホックネットワーク（ＡＨＮ）のサービスセット識別子（ＳＳＩＤ）は、汎用一意識別子（ＵＵＩＤ）を有する。
【００１７】
発見さるべき装置によって提供された、アドホックネットワーク（ＡＨＮ）のサービスセット識別子（ＳＳＩＤ）は、アクセスポイントのＳＳＩＤとは異なるべきであるが、それは、例えば、接頭辞及び／又は接尾辞によって影響され得るからである。このような方法で、適切なＳＳＩＤが、装置に、一意なものとして割り当てられる。検索装置（例えば、ユーザのノート型パソコン）はここで、ＷＬＡＮトランシーバーから可視的なＳＳＩＤのリストを、周期的に取出すことができる。発見さるべき装置（例えば、ＵＨＰプロジェクター）が、上記の説明の如く、検索装置にとって、自身を発見可能にするとき、その装置のＳＳＩＤが、このリスト上に載る。
【００１８】
近接又は遠隔に関する異なる発見された装置の分類は、検索装置が、ＷＬＡＮトランシーバーを介して見出された装置の信号強度を問合わせるといった、本発明に係る方法によって可能になる。この情報は、見出される各装置が、１つの独立したアドホックネットワークとして観察されるため、入手可能になる。見出さるべき装置の信号強度が高いほど、検索装置への位置付けもより近い。本発明に係る好適方法において、検索装置は、見出された装置が−６０ｄＢｍ以上の信号強度を有するとき、近接した装置として分類する。第二の変形において、検索装置は、見出された装置を、その遠隔性によって分類するため、そのようにして生成されたリスト又はリストの上方部分が、ユーザに提示されるようにする。
【発明を実施するための最良の形態】
【００１９】
本発明に係る方法を、図１を参照しながら説明する。
【実施例】
【００２０】
図１に示すように、発見さるべき近接した装置２及び発見さるべき遠隔装置３は、アクセスポイント（ＡＰ）１に接続されており、周期的にアクセスポイントから離れて、発見さるべき装置のアドホックネットワークを確立する。検索装置４が、近接する範囲（例えば半径１０ｍ間）内のサービスを検索し、対応する信号強度のＳＳＩＤのリストを受信する。アクセスイポイント１が、例えば装置２には−３２ｄＢｍ、−３７ｄＢｍ、装置３には−６５ｄＢｍの信号強度を有する場合、検索装置４は、これらの信号強度を参照して、装置２を近接した装置として識別できる。
【００２１】
上記の方法で、検索装置のユーザは、自身の近接内の発見さるべき装置のリストを取得することができる。ユーザが必要とするサービスが、近接内に利用可能であるか見出すために、本発明に係る方法は、ディスカバリー・フレームワーク、好ましくはユニバーサル・プラグアンドプレイ（ＵＰｎＰ）といった方法を用いて、実行され得、検索装置は、発見さるべき装置のサービスにアクセスすることができる。
【００２２】
本方法の別形として、検索装置は、近接内に少なくとも１つの装置を発見した後、発見されたＵＵＩＤを用いて、ＵＰｎＰ検索を開始する。ＵＰｎＰは、検索装置が、他の装置によって提供されたサービスを見出し、使用できることを確実にする。ユーザはここで、近接内に適切なサービスについて知ることができる。
【００２３】
本発明に係る好適方法において、検索装置は、ユニバーサル・プラグアンドプレイ（ＵＰｎＰ）を用いて、複数の近接した装置の中から、所望のサービスを提供する装置を見出す。
【００２４】
検索装置が、発見さるべき装置を識別し、それらの距離を予測する上記の方法は、ＵＰｎＰ検索の後にも実行され得る。まず、ネットワーク内の利用可能なすべての所望のサービスが、ＵＰｎＰを用いて発見され、続いてどのサービスが、ユーザの近接内にあるかが決定される。
【００２５】
従って、本発明に係る方法のうち、検索装置が最初に、ＵＰｎＰを用いて、ネットワーク内で利用可能な、すべての所望のサービスを発見し、続いてどのサービスが、近接内にあるかが決定される方法も、また好ましい。
【００２６】
本発明によると、発見さるべき装置は、アクセスポイントから、短い時間間隔で、周期的に離れ、発見さるべき装置自身のアドホックネットワークを確立する。妨害及び発見さるべき装置間の起こりうる活発な通信を避けるために、発見さるべき装置が、そのアクセスポイントから離れる時間間隔は、短くあるべきである。この場合、本発明に係る好適方法は、発見さるべき装置が、そのアクセスポイントから離れている時間間隔は、最大限で１ｓであり、好ましくは最大限で１００ｍｓであり、特に好ましくは最大限で５０ｍｓであり、特に最大限１０ｍｓである。
【００２７】
発見さるべき装置が、発見さるべき装置自身のアドホックネットワークを確立するために、そのアクセスポイントから離れる頻度が高いほど、検索装置が、ＳＳＩＤリストの更新を長く待つ必要がなくなるため、検索装置によってより早く見出される。本発明に係る好適方法において、発見さるべき装置が、そのアクセスポイントから分離される頻度の周波数は、０．５乃至１００Ｈｚ、好ましくは２乃至８０Ｈｚ、特に好ましくは５乃至６０Ｈｚであり、特に１０乃至５０Ｈｚである。
【図面の簡単な説明】
【００２８】
【図１】無線ネットワーク内の近接した装置及びサービスを発見するための、本発明に係る方法を実行するための装置の配置を示す。
【符号の説明】
【００２９】
１      アクセスポイント（ＡＰ）
２      発見さるべき近接した装置
３      発見さるべき遠隔装置
４      検索装置
【図１】
2006522531.tif 000003
【国際調査報告】
2006522531.tif 000004
2006522531.tif 000005
2006522531.tif 000006